(57)【特許請求の範囲】
【請求項１】
動画撮影が可能な撮像装置であって、
被写体の輝度値を取得する輝度値取得手段と、
絞り値、電荷蓄積時間、撮影感度のうちの少なくとも１つを制御して露出制御を行う露出制御手段と、を有し、
前記露出制御手段は、動画撮影を開始する前に前記輝度値取得手段により取得された輝度値と、動画撮影中に変更可能な範囲の所定の電荷蓄積時間及び動画撮影中に変更可能な範囲の所定の撮影感度に基づいて動画撮影開始時の絞り値を設定し、動画撮影中に輝度値が変化した場合は、絞り値よりも電荷蓄積時間及び撮影感度を優先的に変更して前記露出制御を行うことを特徴とする撮像装置。
【請求項２】
前記露出制御手段は、動画撮影を開始する前に前記輝度値取得手段により取得された輝度値と、動画撮影中に変更可能な範囲の所定の電荷蓄積時間及び動画撮影中に変更可能な所定の撮影感度に基づいて動画撮影開始時の絞り値を動画撮影開始前に設定することを特徴とする請求項１に記載の撮像装置。
【請求項３】
前記露出制御手段は、動画撮影開始時の電荷蓄積時間及び撮影感度を、前記動画撮影中に変更可能な範囲のうちの上限および下限以外の値に設定することを特徴とする請求項１または２に記載の撮像装置。
【請求項４】
前記露出制御手段は、動画撮影開始時の撮影感度を、前記動画撮影中に変更可能な範囲の撮影感度のうちの中間値に設定し、動画撮影中に前記輝度値取得手段により取得された輝度値が変化した場合、電荷蓄積時間よりも撮影感度を優先的に変更して前記露出制御を行うことを特徴とする請求項１ないし３のいずれか１項に記載の撮像装置。
【請求項５】
前記露出制御手段は、動画撮影中に前記輝度値取得手段により取得された輝度値が変化した場合、撮影感度を前記変更可能な範囲の限界値まで変更してから電荷蓄積時間を変更する前記露出制御を行うことを特徴とする請求項４に記載の撮像装置。
【請求項６】
前記露出制御手段は、電荷蓄積時間を動画撮影中に変更可能な範囲の限界値まで変更してから絞り値を変更するように前記露出制御を行うことを特徴とすることを特徴とする請求項５に記載の撮像装置。
【請求項７】
前記露出制御手段は、動画撮影開始時の電荷蓄積時間を、前記動画撮影中に変更可能な範囲の電荷蓄積時間のうち、１／１２５秒に設定することを特徴とする請求項２ないし６のいずれか１項に記載の撮像装置。
【請求項８】
前記撮像装置は、交換レンズが装着可能であって、
装着された交換レンズの種類を判別する判別手段を有し、
動画撮影中に輝度値が変化した場合、前記判別手段により第１の交換レンズが装着されていると判別されたときは、絞り値よりも電荷蓄積時間及び撮影感度を優先的に変更させる前記露出制御を行わず、前記第１の交換レンズよりも絞りの最小制御単位が大きい第２の交換レンズが装着されていると判別されたときは、絞り値よりも電荷蓄積時間及び撮影感度を優先的に変更する前記露出制御を行うことを特徴とする請求項１ないし７のいずれか１項に記載の撮像装置。
【請求項９】
動画撮影が可能な撮像装置の制御方法であって、
被写体の輝度値を取得する輝度値取得ステップと、
絞り値、電荷蓄積時間、撮影感度のうちの少なくとも１つを制御して露出制御を行う露出制御ステップと、を有し、
前記露出制御ステップは、動画撮影を開始する前に前記輝度値取得ステップで取得された輝度値と、動画撮影中に変更な可能な範囲の所定の電荷蓄積時間及び動画撮影中に変更可能な範囲の所定の予め決められた所定の撮影感度に基づいて動画撮影開始時の絞り値を設定し、動画撮影中に輝度値が変化した場合は、絞り値よりも電荷蓄積時間及び撮影感度を優先的に変更して前記露出制御を行うことを特徴とする撮像装置の制御方法。
【発明の詳細な説明】
【技術分野】
【０００１】
本発明は、静止画及びライブビューや動画撮影等の動画像を、適切に露出制御して撮像可能な撮像装置及びその制御方法に関する。
【背景技術】
【０００２】
近年では、静止画及び動画像を撮像可能な撮像装置として、レンズ交換式のデジタルカメラにライブビュー機能を設けたものがある。このようなデジタルカメラでは、動画像の撮影を考慮して、絞り駆動を交換レンズ内に絞り可変手段が設けられ細かい段数で滑らかに絞りを駆動することが可能な動画像撮影用の交換レンズを装着して用いることができる。
【０００３】
また、このデジタルカメラでは、静止画の撮影を目的として、粗い段数で絞り駆動するような、絞りを滑らかに駆動制御することが難しい静止画撮影用の交換レンズを装着して用いることができる。
【０００４】
この静止画撮影用の交換レンズには、カメラボディから機械的な伝達機構を介して絞りの調節操作を行う構成のものや、交換レンズ内に設けられた絞り可変手段により絞り駆動する構成のものがある。
【０００５】
従来のデジタルカメラでは、カメラボディから機械的な伝達機構を介して絞り駆動する静止画撮影用の交換レンズを装着した場合でも、滑らかに露出条件を変化させる技術が提案されている（例えば、特許文献１参照）。
【０００６】
この静止画撮影用の交換レンズを装着したデジタルカメラは、なるべく絞りを動かさないようにすることで、動画撮影用の交換レンズ並に、被写体の明るさの変化に対して滑らかに露出条件を変化させるように構成されている。
【先行技術文献】
【特許文献】
【０００７】
【特許文献１】特開２００２−２９０８２８号公報
【発明の概要】
【発明が解決しようとする課題】
【０００８】
このような静止画撮影用の交換レンズを装着したデジタルカメラには、撮影用プログラム線図を利用して、明るさに応じて絞りとシャッター速度を両方又は片方を制御して露出制御を行うものがある。このようなデジタルカメラで、静止画撮影用の交換レンズを使って動画撮影を行う場合には、電子シャッターを１フレーム毎に細かく制御できるが、絞りを細かく制御することができない。
【０００９】
しかし、静止画撮影では、目標の絞りに到達していることが肝要である。また静止画撮影用の交換レンズを使った場合には、絞りの最小制御単位も、例えば１／３段といった動画撮影では大きい制御単位になっていることが普通である。さらに、静止画撮影用の交換レンズを使った場合には、絞り制御にかかる時間が複数フレーム分の時間を要することが多い。
【００１０】
このため、静止画撮影用の交換レンズを使い、例えば、シャッター速度と絞りを同時に変更するような動画撮影用プログラム線図を利用して制御して動画撮影を行う場合には、高品質な動画像を撮像することが困難となる。
【００１１】
これは、シャッター速度と絞りを同時に変更するような動画撮影用プログラム線図を利用した制御を行う場合には、絞り制御にかかる時間遅れが原因でシャッター速度と絞り量がずれたフレームが発生する。そして、この場合には、動画像の露出が一瞬変化することになり、滑らかに露出条件が変化するようにした高品質な動画像を撮像することができないという問題がある。
【００１２】
本発明の目的は、被写体の明るさの変化に対して露出条件を変化させる際に露出変化の少ない高画質な動画像を撮像することができる撮像装置及びその制御方法を提供することにある。
【課題を解決するための手段】
【００１３】
上記目的を達成するために、本発明にかかる撮像装置は、動画撮影が可能な撮像装置であって、被写体の輝度値を取得する輝度値取得手段と、絞り値、電荷蓄積時間、撮影感度のうちの少なくとも１つを制御して露出制御を行う露出制御手段と、を有し、前記露出制御手段は、動画撮影を開始する前に前記輝度値取得手段により取得された輝度値と、動画撮影中に変更可能な範囲の所定の電荷蓄積時間及び動画撮影中に変更可能な範囲の所定の予め決められた所定の撮影感度に基づいて動画撮影開始時の絞り値を設定し、動画撮影中に輝度値が変化した場合は、絞り値よりも電荷蓄積時間及び撮影感度を優先的に変更して前記露出制御を行うことを特徴とする。
【００１４】
また、上記目的を達成するために、本発明にかかる撮像装置の制御方法は、動画撮影が可能な撮像装置の制御方法であって、被写体の輝度値を取得する輝度値取得ステップと、絞り値、電荷蓄積時間、撮影感度のうちの少なくとも１つを制御して露出制御を行う露出制御ステップと、を有し、前記露出制御ステップは、動画撮影を開始する前に前記輝度値取得ステップで取得された輝度値と、動画撮影中に変更な可能な範囲の所定の電荷蓄積時間及び動画撮影中に変更可能な範囲の所定の予め決められた所定の撮影感度に基づいて動画撮影開始時の絞り値を設定し、動画撮影中に輝度値が変化した場合は、絞り値よりも電荷蓄積時間及び撮影感度を優先的に変更して前記露出制御を行うことを特徴とする。
【発明の効果】
【００１５】
本発明によれば、被写体の明るさの変化に対して露出条件を変化させる際に露出変化の少ない高画質な動画像を撮像することができる。
【図面の簡単な説明】
【００１６】
【図１】本発明の撮像装置の実施の形態に係るレンズ交換式のデジタルカメラの回路構成を示すブロック図である。
【図２】本発明の撮像装置の実施の形態に係るレンズ交換式のデジタルカメラに動画像撮影用の交換レンズが装着された場合の被写体輝度に対応した、絞りとシャッタースピードとＩＳＯ感度の関係で例示する動画像撮影プログラム線図である。
【図３】（Ａ）は、本発明の撮像装置の実施の形態に係るレンズ交換式のデジタルカメラに動画像撮影用の交換レンズが装着された場合の被写体輝度に応じた、絞りとシャッタースピードとＩＳＯ感度の関係で動画撮影開始前の被写体輝度値（輝度値）が５の場合を例示する動画像撮影プログラム線図、（Ｂ）は、本発明の撮像装置の実施の形態に係るレンズ交換式のデジタルカメラに動画像撮影用の交換レンズが装着された場合の輝度値に対応した、絞りとシャッタースピードの関係で動画撮影開始前の輝度値が１１の場合を例示する動画像撮影プログラム線図である。
【図４】本発明の撮像装置の実施の形態に係るレンズ交換式のデジタルカメラにおいて、動画像撮影プログラム線図の選択処理の手順を示すフローチャートである。
【発明を実施するための形態】
【００１７】
以下、本発明の撮像装置の実施の形態に係る交換レンズが装着可能なデジタルカメラについて、図面を参照しながら説明する。
【００１８】
本実施の形態に係るデジタルカメラ１００の回路構成を示す、図１のブロック図で、１０１は不図示の光学絞り機構を含むレンズ部であり、１０２は光学絞り駆動装置を含むレンズ駆動装置である。
【００１９】
このレンズ駆動装置１０２は、図示しないズーム光学系、結像光学系及び光学絞り機構を駆動させることによって、ズーム制御、フォーカス制御及び絞り制御等を実行する。
【００２０】
図１のブロック図で、１０３は遮光手段としてのシャッター装置である。このシャッター装置１０３は、電子シャッター制御手段としての全体制御演算部１０９で制御されたシャッター駆動装置１０４により駆動される。また、１０５は被写体からの光束を受光することにより、その光量に応じて電荷を蓄積し、これを基に被写体の画像データを生成する撮像素子であり、１０６は画像信号処理回路である。
【００２１】
この画像信号処理回路１０６は、撮影感度制御手段としての全体制御演算部１０９に制御されて、撮像素子１０５から出力される画像データのアナログ信号を増幅して撮影感度を変更する。また、この画像信号処理回路１０６は、画像データをアナログ信号からデジタル信号に変換をするＡ／Ｄ変換処理や、Ａ／Ｄ変換後の画像データに各種の補正処理を施し、さらに、現像処理を施し、画像データに圧縮処理を施す。
【００２２】
図１のブロック図で、１０７はタイミング発生部であり、撮像素子１０５と画像信号処理回路１０６にタイミング信号を出力すると共に、撮像素子１０５の電子シャッタースピードの制御も行う。
【００２３】
図１のブロック図で、１０８は画像データを一時的に記憶する為のメモリ部、１０９は撮像装置全体の動作を統括して制御すると共に撮影パラメータや画像データの補正処理の係数を演算するための制御回路である。さらに、１１０は記録媒体１１１への画像データの記録又は記録媒体１１１から画像データの読み出しを行うための記録媒体制御インターフェース部である。
【００２４】
図１のブロック図で、１１１は画像データの記録又は読み出しを行う為の半導体メモリ等の着脱可能な記録媒体、１１２は外部コンピュータ等と通信する為の外部インターフェース部である。１１３は被写体の輝度値取得のために測光を行う測光装置である。１１４は被写体の焦点状態を検出する焦点検出装置であり、１１５は電子ファインダーモードの状態で、被写体を動画として表示し又は撮影した画像を表示するための表示装置である。
【００２５】
次に、デジタルカメラ１００で動画像を取得し、ライブビューや動画記録を行う動画像撮影モードについて説明する。
【００２６】
このデジタルカメラ１００で動画像を撮影する場合には、シャッター装置１０３が開放駆動され、レンズ部１０１の図示しない光学絞り機構が所定値に絞り込まれ、撮像素子１０５で動画像が撮影される。このとき撮像素子１０５は、電子シャッタ機能を利用しながらフレーム毎に画像を取得することにより動画像を撮影する。
【００２７】
このように撮影された動画像は、画像信号処理回路１０６で補正処理や現像処理等がされて出力され、フレーム毎にメモリ部１０８に記憶される。このデジタルカメラ１００では、メモリ部１０８に記憶された画像データが読み出されて表示装置１１５にフレーム毎に表示される動作が繰り返されることにより、ライブビュー表示がされる。
【００２８】
このデジタルカメラ１００では、動画像を取得している間に、取得した画像の露光量に応じて、その時の絞り値と電荷蓄積時間（シャッタースピード）と撮影感度（ＩＳＯ感度）から輝度値をフレーム毎に取得する。さらに、このデジタルカメラ１００では、適正露光量になるように、輝度値に応じた絞り値となるようにレンズ部１０１内の不図示の絞りの絞り値及び撮像素子１０５の電荷蓄積時間を制御する。
【００２９】
このデジタルカメラ１００では、ライブビュー表示中に動画記録することが選択されると、表示装置１１５で表示するパスとは別に、フレーム毎の画像を記録媒体１１１に記録する。このとき、フレーム毎の画像は、画像信号処理回路１０６で補正や現像処理、圧縮処理等され、メモリ部１０８に圧縮された動画像データが一旦記憶される。さらに、メモリ部１０８から読み出された圧縮された動画像データは、記録媒体制御Ｉ／Ｆ部１１０を介して、記録媒体１１１に記録される。
【００３０】
次に、このデジタルカメラ１００において、レンズ部１０１として動画像撮影用レンズ（第１の交換レンズ）が装着された場合と、静止画撮影用のレンズ（第２の交換レンズ）が装着された場合との、動画像撮影時における絞り制御の相違について説明する。なお、前述したとおり、静止画撮影用のレンズは動画像撮影用レンズよりも絞りの最小制御単位が大きいものとする。言い換えれば、動画像撮影用レンズは静止画撮影用のレンズよりもよりも絞りの最小制御単位が小さい。
【００３１】
このデジタルカメラ１００に動画像撮影用の交換レンズが装着された場合に適用される動画像撮影プログラム線図は、図２に例示する如きものである。このプログラム線図は、撮像素子１０５で撮影した動画像の露光量から、その時の絞り値とシャッタースピードとＩＳＯ感度で求めた輝度値に対し全体制御演算部１０９により適正露光量になるように決定される絞り値とシャッタスピードとの関係を示すものである。
【００３２】
この図２に例示する動画像撮影プログラム線図によれば、輝度値が０〜８の間は、シャッタースピードとＩＳＯ感度だけで露出制御が行われる。また、輝度値８〜１７までは、シャッタースピードを１２５分の１に固定し、レンズ部１０１内の絞り装置の絞り値を制御することにより露出制御が行われる。これは、シャッタースピード１２５分の１の場合に、動画像としてパラパラ感が少なく見えることを考慮している。このようにして、このデジタルカメラ１００では、輝度値が０〜１７の間で動画像の表示や記録を滑らかに行うことができる。
【００３３】
次に、このレンズ部１０１として静止画撮影用のレンズが装着されたデジタルカメラ１００で利用される、図３（Ａ）及び（Ｂ）に例示する動画像撮影プログラム線図について説明する。なお、この絞りの最小制御単位が大きい静止画撮影用のレンズが装着されたデジタルカメラ１００では、レンズ部１０１内の絞り装置の絞り値毎に設定された動画像撮影プログラム線図を利用する。
【００３４】
この静止画撮影用のレンズが装着されたデジタルカメラ１００で通常の動画像撮影を行う場合には、動画撮影中の被写体輝度の変化が比較的小さく、被写体輝度が、一定の範囲内で変化する傾向にある。
【００３５】
そこで、このデジタルカメラ１００では、ＩＳＯ感度を、動画撮影開始時に、動画撮影中に変更可能な範囲の中間値に設定することで、ＩＳＯ感度による露出制御の連動範囲を確保する。なお、このデジタルカメラ１００では、図３（Ａ）及び（Ｂ）に例示するように、シャッタースピードが１／１２５のときに、ＩＳＯ感度１００〜６４００の間で変動させて調整する。また、このデジタルカメラ１００では、動画撮影開始時に、動画撮影中に変更可能な範囲中間値に当たるＩＳＯ感度８００に設定している。これにより、このデジタルカメラ１００では、動画撮影中に被写体輝度が明るく変動した場合の変動幅と暗く変動した場合の変動幅とが等しくなるので、被写体輝度の変動に良好に追従して調整できる。
【００３６】
よって、このデジタルカメラ１００で動画撮影を行う場合には、シャッタースピードとＩＳＯ感度を、動画撮影開始前の輝度値から適応的に、図３（Ａ）及び図３（Ｂ）に●(黒丸印)で示す値から開始される。これと共に、このときの絞り値は、輝度値とシャッタースピードとＩＳＯ感度とから求められた絞り値で固定される。
【００３７】
このデジタルカメラ１００では、図３（Ａ）の動画撮影用のプログラム線図を適用する場合に、輝度値２〜８までの間をＩＳＯ感度で露出制御する。それ以外の輝度値では、先ずシャッタースピードで露出制御して、更に輝度値が変化したら絞りで露出制御する。また、このデジタルカメラ１００では、図３（Ｂ）の動画撮影用のプログラム線図を適用する場合に、輝度値８〜１４までの間をＩＳＯ感度で露出制御する。
【００３８】
このように、このデジタルカメラ１００では、動画撮影開始前の輝度値毎に絞り値が決定された動画像撮影用のプログラム線図の内容に基づいて、動画像撮影を行う。このようにして動画像撮影を行う場合には、静止画撮影用のレンズの光学絞り機構を動作させないので、露出が不安定な動画像撮影が行われることを防止することができる。
【００３９】
次に、静止画像撮影用又は動画像撮影用の交換レンズが装着されたデジタルカメラの動画像撮影モードで絞り制御を行うための、動画像撮影プログラム線図の選択処理の手順について、図４に示すフローチャートを参照して説明する。
【００４０】
このデジタルカメラ１００では、ユーザーの操作により、動画像撮影モードにセットされると、動画像撮影プログラム線図の選択処理が開始される。すると、このデジタルカメラ１００では、全体制御演算部１０９が、静止画像撮影用の交換レンズ又は動画像撮影用の交換レンズの何れがデジタルカメラ１００のボディに取り付けられているのかを判別する（ステップＳ１１）。
【００４１】
そして、装着された交換レンズの種類を判別する判別手段としての全体制御演算部１０９が、デジタルカメラ１００のボディに動画像撮影用の交換レンズが装着されていると判別した場合（ステップＳ１１でＮＯ）に、ステップＳ１２へ進む。
【００４２】
このステップＳ１２では、全体制御演算部１０９が、図２に例示する動画像撮影用の交換レンズが装着された際の動画像撮影プログラム線図に基づいて、前述のように露出制御を行うよう設定する。この後、全体制御演算部１０９は、動画像撮影プログラム線図の選択処理を終了する。
【００４３】
また、ステップＳ１１において、全体制御演算部１０９は、デジタルカメラ１００のボディに静止画像撮影用の交換レンズが装着されていると判別した場合（ステップＳ１１でＹＥＳ）に、ステップＳ１３へ進む。
【００４４】
ステップＳ１３では、輝度値検出手段として機能する全体制御演算部１０９が、静止画撮影用の交換レンズが装着された場合に、撮像素子１０５で取得する画像の露光量と、その時の絞り値とシャッタースピードとＩＳＯ感度から輝度値（Ｂｖｓｔ）を求める。
【００４５】
この静止画撮影用の交換レンズが装着された場合における撮像素子１０５で取得した画像から輝度値（Ｂｖｓｔ）を求める動作のルーチンは、動画像撮影開始まで継続される（ステップＳ１４でＮＯ）。
【００４６】
また、全体制御演算部１０９は、動画像撮影が開始されたと判断したときに（ステップＳ１４でＹＥＳ）、ステップＳ１５へ進み、動画像撮影プログラム線図を用いて動画像撮影を行うよう設定する（ステップ１５）。このとき、全体制御演算部１０９は、動画撮影開始前に取得した輝度値（Ｂｖｓｔ）に対して全体制御演算部１０９でシャッタースピードとＩＳＯ感度を各々所定値に固定した動画像撮影プログラム線図を利用して動画像撮影を行う。この後、全体制御演算部１０９は、動画像撮影プログラム線図の選択処理を終了する。
【００４７】
要するに、本実施の形態に係るデジタルカメラ１００では、露出制御を行うに当たって、静止画撮影用の交換レンズの光学絞り機構を動作させないようにして、露出が不安定な動画像撮影が行われることを抑制する。そこで、このデジタルカメラ１００では、動画像撮影の際に、露出制御のため変更しても撮影された動画像の品質に影響の少ないＩＳＯ感度で露出制御を主に行えるように、動画像撮影用プログラム線図を利用して制御する。さらに、このデジタルカメラ１００では、動画像撮影の際に、ＩＳＯ感度の調整だけでは不足する場合に、シャッタースピードを調整して露出制御を行うものである。
【００４８】
このため、本実施の形態に係るデジタルカメラ１００では、動画像撮影モードにセットされ、静止画像撮影用の交換レンズがデジタルカメラのボディに装着されていることを確認した場合に、以下のように制御する。
【００４９】
まず、このデジタルカメラ１００では、全体制御演算部１０９が、ＩＳＯ感度を、動画撮影中に変更可能な範囲の中間値にセットする。このデジタルカメラ１００では、動画撮影中に変更可能な範囲に相当するＩＳＯ感度の上限の限界値６４００から下限の限界値１００までの範囲における中間値を初期設定値となるＩＳＯ感度８００にセットする。
【００５０】
次に、このデジタルカメラ１００では、全体制御演算部１０９が、シャッタースピードを、通常の動画像撮影に適する初期設定値となる１／１２５にセットする。
【００５１】
次に、このデジタルカメラ１００では、初期設定値としてのＩＳＯ感度８００及びシャッタースピード１／１２５と、測定した輝度値（Ｂｖｓｔ）とに基づいて動画像撮影に適する、レンズ部１０１内の絞り装置の絞り値を決定する。
【００５２】
次に、このデジタルカメラ１００では、決定されたレンズ部１０１内の絞り装置の絞り値に対応する、例えば、図３（Ａ）及び図３（Ｂ）に示すような動画撮影用のプログラム線図を特定する。
【００５３】
ここで、このデジタルカメラ１００では、静止画像撮影用の交換レンズのレンズ部１０１内に配置された絞り装置で変更可能な各絞り値に対応して構成された、絞り値毎の動画撮影用のプログラム線図が設定されている。
【００５４】
この絞り値毎の動画撮影用のプログラム線図では、このデジタルカメラ１００で変更可能なＩＳＯ感度の範囲内における動画撮影に適したＩＳＯ感度の範囲内において、輝度値に対応して優先的にＩＳＯ感度のみを制御する。
【００５５】
このデジタルカメラ１００では、ＩＳＯ感度１００〜ＩＳＯ感度６４００までの範囲内でＩＳＯ感度を選択して設定するよう制御する。
【００５６】
これと共に、この絞り値毎の動画撮影用のプログラム線図では、動画撮影に適したＩＳＯ感度の範囲の下限の限界値にしても適正露出にならない場合に、シャッタースピードを遅くして電荷蓄積時間を長くするよう制御する。
【００５７】
また、この絞り値毎の動画撮影用のプログラム線図では、動画撮影に適したＩＳＯ感度の範囲の上限の限界値にしても適正露出にならない場合に、シャッタースピードを早くして電荷蓄積時間を短くするよう制御する。
【００５８】
このデジタルカメラ１００では、撮影感度制御手段により、輝度値に対応して優先的にＩＳＯ感度のみを制御する場合には、シャッタースピードを１／１２５に固定する。また、このデジタルカメラ１００では、ＩＳＯ感度の動画撮影中に変更可能な範囲の上限の限界値(ここではＩＳＯ感度６４００)にしても適正露出にならない場合に、シャッタースピードを１／１２５から１／６０、１／３０へと遅く設定して対応する。
【００５９】
さらに、このデジタルカメラ１００では、ＩＳＯ感度の動画撮影中に変更可能な範囲の下限の限界値(ここではＩＳＯ感度１００)にしても適正露出にならない場合に、シャッタースピードを１／１２５から１／８０００へ向けて早く設定して対応する。
【００６０】
このように、このデジタルカメラ１００では、選択された１つの動画撮影用のプログラム線図に基づいて制御されている状態で、静止画像撮影用の交換レンズ内の絞り装置の絞り値を一定に保持したまま露出制御が行われる。
【００６１】
また、このデジタルカメラ１００では、静止画像撮影用の交換レンズを利用して動画像撮影を開始する際に、動画撮影用のプログラム線図における図３（Ａ）（Ｂ）に●(黒丸印)で示す開始設定値から動画撮影を開始させる。
【００６２】
さらに、このデジタルカメラ１００では、シャッタースピードの初期設定値１／１２５で、ＩＳＯ感度の初期設定値８００である開始設定値のときに、輝度値と合うように、レンズ部１０１内の絞り装置の絞り値を計算して設定する。
【００６３】
よって、このデジタルカメラ１００では、動画撮影が開始されると、ＩＳＯ感度の動画撮影中に変更可能な範囲の中間値である開始設定値に基づいて露出の調整制御が開始される。そして、このデジタルカメラ１００では、動画撮影の進行に伴って輝度値が変動すると、これに対応してＩＳＯ感度を変動させて対応し、露出を適正に保って動画撮影する。
【００６４】
すなわち、このデジタルカメラ１００では、輝度が暗くなる方向に変動した場合のＩＳＯ感度の変動量と、輝度が明るくなる方向に変動した場合のＩＳＯ感度の変動量とが等しくなるように設定されている。このようにＩＳＯ感度の動画撮影中に変更可能な範囲の中間値である開始設定値に基づいて露出の調整制御が開始する場合には、動画撮影中に、ＩＳＯ感度の調整可能範囲の上限値又は下限値から逸脱する確率を最小限に抑制できる。よって、この開始設定値に基づいて露出の調整制御を開始する場合には、シャッタースピードで露出を調整しなければならなくなる確率を減じて、撮影された動画像の品質を向上できる。
【００６５】
このように構成された、レンズ交換式の撮像装置であるデジタルカメラ１００では、静止画撮影用の交換レンズが取付られた場合に、できるだけＩＳＯ感度を調整するよう制御して露出を制御する。それでも不足する場合には、シャッタースピードで露出を制御する。
【００６６】
なお、静止画撮影用の交換レンズを用いて動画像撮影中に、ＩＳＯ感度及びシャッタースピードの調整による露出制御では不足する場合には、静止画像撮影用の交換レンズの光学絞り機構を駆動して露出制御を行うようにしても良い。
【００６７】
これにより、このデジタルカメラ１００では、静止画撮影用の交換レンズの光学絞り機構を動作させないようにして、露出の制御を行うよう動作する。よって、このデジタルカメラ１００では、静止画撮影用の交換レンズのように絞りの最小制御単位が大きい場合には絞りを極力動作させないようにして、露出が不安定な動画像撮影が行われることを抑制できるという効果がある。
【００６８】
なお、本実施の形態では、静止画撮影用の交換レンズが装着された場合に絞りを極力動作させない制御を行うようにしたが、絞りを極力動作させたくない場合には動画撮影用の交換レンズが装着された場合に適用するようにしてもよい。  以上、本発明の実施の形態に係るレンズ交換式のデジタルカメラ１００について説明したが、本発明は、上述した実施の形態に限定されるものではない。
【符号の説明】
【００６９】
１０１  レンズ部
１０５  撮像素子
１０９  全体制御演算部
【図１】
0005618765.tif 000002
【図２】
0005618765.tif 000003
【図３】
0005618765.tif 000004
【図４】
0005618765.tif 000005